(57)【要約】【課題】  メモリーカードの取り出しが容易なものとして、メモリーカードを収納できるようにしたメモリーカード用ケースを提供することを課題とする。【解決手段】  ケース本体２の中にトレイ３を取り付けると共にトレイ３に嵌合凹部４を形成し、その嵌合凹部４内にメモリーカードＭを収納可能としたメモリーカード用ケースであって、前記トレイ３の嵌合凹部４に収納したメモリーカードＭを係止可能な係止凹部４を設けると共に、前記トレイ３の嵌合凹部４の略中央部分に押出ボタン41を設け、さらにケース本体２の押出ボタン41と対応する位置に穴2aを形成し、ケース本体２の底面側から押出ボタン41を押すことにより、メモリーカードＭと嵌合凹部４の係止突起42との係止が解かれるようにした。【選択図面】　　図７【特許請求の範囲】
【請求項１】
ケース本体（２）の中にトレイ（３）を取り付けると共にトレイ（３）に嵌合凹部（４）を形成し、その嵌合凹部（４）内にメモリーカード（Ｍ）を収納可能としたメモリーカード用ケースであって、前記トレイ（３）の嵌合凹部（４）に収納したメモリーカード（Ｍ）を係止可能な係止突起（42）を設けると共に、前記トレイ（３）の嵌合凹部（４）の略中央部分に押出ボタン（41）を設け、さらにケース本体（２）の押出ボタン（41）と対応する位置に穴（2a）を形成し、ケース本体（２）の底面側から押出ボタン（41）を押すことにより、メモリーカード（Ｍ）と嵌合凹部（４）の係止突起（42）との係止が解かれるようにしたことを特徴とするメモリーカード用ケース。
【請求項２】
前記トレイ（３）が導電性エラストマー樹脂からなるものであることを特徴とする請求項１記載のメモリーカード用ケース。
【発明の詳細な説明】
【技術分野】
【０００１】
　この発明は、コンパクトフラッシュ（米国サンディスク社の登録商標）、スマートメディア（株式会社東芝の登録商標）、メモリースティック（ソニー株式会社の登録商標）、ＳＤメモリーカード等のメモリーカードを収納するメモリーカード用ケースに関するものである。
【背景技術】
【０００２】
　デジタルカメラ、デジタルビデオカメラ、デジタルレコーダー等、データの保存に小型のメモリーカードを使用する電子機器が増えてきている。
【０００３】
　これらのメモリーカードを携帯したり、保管するためにメモリーカード用ケースが販売されている。
【０００４】
　この従来のメモリーカード用ケースは、メモリーカードの取り出しが容易なものとして、メモリーカードを収納することが望まれていた。
【発明の開示】
【発明が解決しようとする課題】
【０００５】
　そこでこの発明では、メモリーカードの取り出しが容易なものとして、メモリーカードを収納できるようにしたメモリーカード用ケースを提供することを課題とする。
【課題を解決するための手段】
【０００６】
　そのため、この発明は、ケース本体２の中にトレイ３を取り付けると共にトレイ３に嵌合凹部４を形成し、その嵌合凹部４内にメモリーカードＭを収納可能としたメモリーカード用ケースであって、前記トレイ３の嵌合凹部４に収納したメモリーカードＭを係止可能な係止突起42を設けると共に、前記トレイ３の嵌合凹部４の略中央部分に押出ボタン41を設け、さらにケース本体２の押出ボタン41と対応する位置に穴2aを形成し、ケース本体２の底面側から押出ボタン41を押すことにより、メモリーカードＭと嵌合凹部４の係止突起42との係止が解かれるようにしたものとした。
【０００７】
　このようにすれば、押出ボタン41を押すと嵌合凹部４内よりメモリーカードＭが飛び出すので、メモリーカードＭの取り出しが容易になる。
【０００８】
　また、この発明は、前記トレイ３が導電性エラストマー樹脂からなるものとした。
【０００９】
　このようにすれば、静電気によるメモリーカードの破損が防げるようになる。
【発明の効果】
【００１０】
　この発明では、トレイ３の嵌合凹部４の略中央部分に押出ボタン41を設け、さらにケース本体２の押出ボタン41と対応する位置に穴2aを形成し、ケース本体２の底面側から押出ボタン41を押すことにより、メモリーカードＭと嵌合凹部４の係止突起42との係止が解かれるようにすれば、押出ボタン41を押すと嵌合凹部４内よりメモリーカードＭが飛び出すので、メモリーカードＭの取り出しが容易になり、使い易い便利なものになる。
【００１１】
　さらに、この発明では、トレイ３を導電性エラストマー樹脂からなるものとすれば、前記の効果に加え、静電気によるメモリーカードの破損が防げるようになり、安全に携帯・収納できるようになるという更なる効果がある。
【発明を実施するための最良の形態】
【００１２】
　この発明の実施の形態を図１〜図１１の図面に従って説明する。
【００１３】
　図１は、この発明のメモリーカード用ケースの正面図、図２は背面図、図３は平面図、図４は蓋体を開いた状態の正面図、図５は蓋体を開いた状態の平面図、図６は図４のＡ−Ａ断面図、図７は分解斜視図である。
【００１４】
　この発明のメモリーカード用ケースは、蓋体１と、蓋体１を開閉自在に蝶着したケース本体２からなる合成樹脂からなるケースと、ケース本体２内に嵌入された導電性エラストマー樹脂からなるトレイ３を有している。
【００１５】
　このケースは、丁度ＣＤ（コンパクトディスク）用のケースと同一の大きさに形成されており、市販されているＣＤケース用ラック内に納まるようになっている。
【００１６】
　蓋体１には、トレイ３の中央に形成された丸形の突部30を嵌入する穴1aと、トレイ３の開放端側及び側部寄りに形成された長円形の突部31を嵌入する穴1bが形成されている。さらに、蓋体１の丸形の穴1aは、蓋体１を開けるときに指でトレイ３を押すための穴となっている。
【００１７】
　ケース本体２には、後述するトレイ３の押出ボタン41に対応する位置に穴2aが形成されている。
【００１８】
　ケース本体２とトレイ３は、図示していないが、ケース本体２に突設された係止用突起とトレイ３に形成された係止穴とが嵌合することにより容易に分解できないように固定されている。
【００１９】
　トレイ３は、収納するメモリーカードが静電気により損傷しないように導電性エラストマー樹脂で形成されており、携帯時においては、蓋体１の穴1a，1bより露出したトレイ３の突部30，31が外部と接触し、アースとなって帯電を防止する役割をしている。
【００２０】
　トレイ３には、メモリーカードを収納する４つの嵌合凹部４が形成されており、嵌合凹部４の底部中央部分にはメモリーカードを取り出すための押出ボタン41を形成している。
　押出ボタン41は、平面視円形をしており、その周囲は同心円の蛇腹構造となっている。
　この嵌合凹部４には、コンパクトフラッシュ（米国サンディスク社の登録商標）、スマートメディア（株式会社東芝の登録商標）、メモリースティック（ソニー株式会社の登録商標）、ＳＤメモリーカードの何れか一種を選択収納可能となっている。尚、前記したメモリーカードの種類は、一例として示したものであり、その他のメモリーカードに対応するように変更可能であるし、一例として挙げたメモリーカードも同一輪郭形状を有する他のメモリーカードをも含むものである。（例えば、メモリースティックとＭＧメモリースティック、ＳＤメモリーカードとマルチメディアカード）
　この実施例では、４種類のメモリーカードを収納可能としているが、複数種であれば良く、その収納可能な種類の数、及びメモリーカードの種類を限定するものではない。
【００２１】
　この実施例において収納可能とするメモリーカードの種類と寸法（縦×横×厚さ）は次の通りである。
【００２２】
　コンパクトフラッシュ  36.4×42.8×3.3mm
　スマートメディア      45×37×0.76mm
　メモリースティック    21.5×50×2.8mm
　ＳＤメモリーカード    24×32×2.1mm
　この実施例において、嵌合凹部４の内、図示4aの部分はスマートメディアの輪郭形状を象ったものであり、図示4bの部分はメモリースティックの輪郭形状を象ったものである。図示4cの部分は、コンパクトフラッシュの輪郭形状を象ったものであり、前記二つの輪郭形状と重ならない部分を形成するために、約４５°傾けて配している。
【００２３】
　この３つのメモリーカードに対応した部分の嵌合凹部４の深さは、最も厚みのあるコンパクトフラッシュに合わせて形成してあり、それぞれのメモリーカードだけに対応する部分の内側面にはそれぞれのメモリーカードを係止する係止突起42を設けてある。
【００２４】
　この実施例の場合、最も小さいＳＤメモリーカードに対応させるために、ＳＤメモリーカードの輪郭形状を象ったものを嵌合凹部４にこの部分だけ一段下げて形成している。
【００２５】
　このように、この発明は、嵌合凹部４に一段下がった部分を別に形成して実施することを妨げるものではない。
【００２６】
　また、最も薄いスマートメディアを収納する場合には、同一の嵌合凹部４に２枚重ねて入るように、上下に係止突起42を設けて形成することもできる。
【００２７】
　以上が構成の説明であり、このメモリーカード用ケースを使用する場合は、次のようにする。
【００２８】
　メモリーカード用ケースの蓋体１を開け、トレイ３の嵌合凹部４に、前記４種類の内の一種の選択されたメモリーカードを嵌入する。このとき、メモリーカードは、係止突起42を乗り越えて入る。
【００２９】
　図８はスマートメディアＭsmを嵌合凹部４のスマートメディアＭsmの輪郭形状を象った部分4aに収納した状態を示す断面図であり、スマートメディアＭsmは、係止突起42を乗り越えて嵌合凹部４に嵌入されており、スマートメディアＭsmの端部の上側面が係止突起42により押さえられ、収納されている。図８の図示右側の部分は、嵌合凹部４にスマートメディアＭsmを２枚重ねて収納した状態を示している。
【００３０】
　図９はメモリースティックＭmsを嵌合凹部４のメモリースティックＭmsの輪郭形状を象った部分4bに収納した状態を示す断面図であり、メモリースティックＭmsは、係止突起42を乗り越えて嵌合凹部４に嵌入されており、メモリースティックＭmsの端部の上側面が係止突起42により押さえられ、収納されている。
【００３１】
　図１０はコンパクトフラッシュＭcfを嵌合凹部４のコンパクトフラッシュＭcfの輪郭形状を象った部分4cに収納した状態を示す断面図であり、コンパクトフラッシュＭcfは、係止突起42を変形させて嵌合凹部４に嵌入されており、コンパクトフラッシュＭcfの側面が係止突起42により押さえられて収納されている。
【００３２】
　図１１はＳＤメモリーカードＭsdを嵌合凹部４のＳＤメモリーカードＭsdの輪郭形状を象った部分4dに収納した状態を示す断面図であり、ＳＤメモリーカードＭsdは、係止突起42を変形させて嵌合凹部４に嵌入されており、ＳＤメモリーカードＭsdの側面が係止突起42により押さえられて収納されている。
【００３３】
　この実施例では、このように４種類のメモリーカードのどれでもが収納できるようになっている。
【００３４】
　このトレイ３は、導電性エラストマー樹脂からなるものであるので、携帯中に鞄の中で摩擦等で発生する静電気からメモリーカードを保護するようになっている。
【００３５】
　蓋体１を開けるときは、蓋体１の中央の穴1aよりトレイ３を押して開ける。このとき、人体とメモリーカード用ケースとの間に電位差があっても、トレイ３が導電性エラストマー樹脂からなるものであるのでアースされて人体とメモリーカード用ケースとの間の電位差がなくなり、メモリーカードの静電気による破損を防いでいる。
【００３６】
　メモリーカードを嵌合凹部４から取り出すときは、トレイ３本体の穴2aから指を入れて押出ボタン41を押す。
【００３７】
　すると、押出ボタン41の蛇腹部分が伸びてメモリーカードを押し、メモリーカードと嵌合凹部４の係止突起42との係止が解け、収納したメモリーカードが嵌合凹部４内より飛び出すので、簡単に取り出すことができる。
【図面の簡単な説明】
【００３８】
【図１】この発明のメモリーカード用ケースの正面図である。
【図２】この発明のメモリーカード用ケースの背面図である。
【図３】この発明のメモリーカード用ケースの平面図である。
【図４】この発明のメモリーカード用ケースの蓋体を開いた状態の正面図である。
【図５】この発明のメモリーカード用ケースの蓋体を開いた状態の平面図である。
【図６】図４のＡ−Ａ断面図である。
【図７】この発明のメモリーカード用ケースの分解斜視図である。
【図８】この発明のメモリーカード用ケースの嵌合凹部にスマートメディアを収納した状態を示す断面図である。
【図９】この発明のメモリーカード用ケースの嵌合凹部にメモリースティックを収納した状態を示す断面図である。
【図１０】この発明のメモリーカード用ケースの嵌合凹部にコンパクトフラッシュを収納した状態を示す断面図である。
【図１１】この発明のメモリーカード用ケースの嵌合凹部にＳＤメモリーカードを収納した状態を示す断面図である。
【符号の説明】
【００３９】
　Ｍ  メモリーカード
　２  ケース本体
　２ａ  穴
　３  トレイ
　４  嵌合凹部
　４１　押出ボタン
　４２  係止突起
【図１】
2004145900.tif 000002
【図２】
2004145900.tif 000003
【図３】
2004145900.tif 000004
【図４】
2004145900.tif 000005
【図５】
2004145900.tif 000006
【図６】
2004145900.tif 000007
【図７】
2004145900.tif 000008
【図８】
2004145900.tif 000009
【図９】
2004145900.tif 000010
【図１０】
2004145900.tif 000011
【図１１】
2004145900.tif 000012